(57)【要約】【課題】効果的にシンチレーションの低減を図ったスクリーン、リアプロジェクタ及び画像表示装置を提供する。【解決手段】本発明のスクリーン２０は、拡散層１０を有するスクリーン本体１２と、スクリーン本体１２の外周に沿って設けられ、拡散層１０が支持部材１４ａ，１４ｂを介して回動可能に取り付けられた枠部１６と、スクリーン本体１２に取り付けられ、支持部材１４ａ，１４ｂの軸周りに拡散層１０を回動させる駆動手段２２とを備える。【選択図】図３
2007286349.tif 000002
【特許請求の範囲】
【請求項１】
拡散層を有するスクリーン本体と、
前記スクリーン本体の外周に沿って設けられ、前記拡散層が支持部材を介して回動可能に取り付けられた枠部と、
前記スクリーン本体に取り付けられ、前記支持部材の前記軸周りに前記拡散層を回動させる駆動手段と、
を備えることを特徴とするスクリーン。
【請求項２】
前記スクリーン本体の前記拡散層が矩形状であり、
前記支持部材の軸が前記拡散層の面内の対称軸と同軸に配置され、
前記支持部材が、前記拡散層の対向する辺側の２箇所に設けられたことを特徴とする請求項１に記載のスクリーン。
【請求項３】
前記スクリーン本体が前記拡散層を複数有し、
前記複数の拡散層のそれぞれが、前記スクリーン本体に投射される光の光軸上に配置され、
前記複数の拡散層のうち少なくとも２層の前記拡散層が、前記支持部材を介して回動可能に前記枠部に取り付けられたことを特徴とする請求項１又は請求項２に記載のスクリーン。
【請求項４】
前記支持部材を介して前記枠部に取り付けられた前記拡散層のそれぞれには、前記駆動手段が取り付けられ、
前記駆動手段のそれぞれが、異なる周波数で駆動されることを特徴とする請求項３に記載のスクリーン。
【請求項５】
拡散層を有するスクリーン本体と、
前記スクリーン本体の外周に設けられ、前記拡散層の対称軸と同軸の第１の軸を有する第１支持部材と、
前記スクリーン本体の外周に沿って設けられ、前記拡散層が前記第１支持部材を介して回動可能に取り付けられた第１枠部と、
前記第１枠部の外周に設けられ、前記第１支持部材の前記第１の軸と交差する方向に延びる第２の軸を有する第２支持部材と、
前記第１枠部の外周に沿って設けられ、前記第１枠部が前記第２支持部材を介して回動可能に取り付けられた第２枠部と、
前記スクリーン本体及び第１枠部の少なくとも一方に取り付けられ、前記第１支持部材の前記第１の軸周りに前記拡散層を回動させる駆動手段と、
を備えることを特徴とするスクリーン。
【請求項６】
前記スクリーン本体の前記拡散層が矩形状であり、
前記第１支持部材の前記第１の軸が前記拡散層の一辺と平行に設けられ、
前記第２支持部材の前記第２の軸が前記第１支持部材の前記第１の軸と直交して設けられたことを特徴とする請求項５に記載のスクリーン。
【請求項７】
光を射出する光源と、
前記光源から射出された光を変調する光変調素子と、
前記光変調素子により変調された光が投影される前記請求項１乃至請求項６のいずれか１項に記載のスクリーンと、
を備えることを特徴とするリアプロジェクタ。
【請求項８】
光を射出する光源と、
前記請求項１乃至請求項６のいずれか１項に記載のスクリーンと、
前記スクリーン上で前記光源から射出された光を走査する走査部と、
を備えることを特徴とする画像表示装置。
【発明の詳細な説明】
【技術分野】
【０００１】
本発明は、スクリーン、リアプロジェクタ及び画像表示装置に関する。
【背景技術】
【０００２】
近年、プロジェクタが急速な普及を見せている。主にプレゼンテーション用途で利用されているフロント投射型プロジェクタの他、近年はリア投射型プロジェクタが大画面の一形態として認知度を高めつつある。プロジェクション方式の表示装置の最大の利点は、液晶テレビ、ＰＤＰ等の直視型ディスプレイと比べて低価格で同画面サイズの商品を提供できるところにある。しかし、直視型においても低価格が進展しており、プロジェク方式の表示装置にもより高い画質性能が求められている。
【０００３】
プロジェクタは、光源から射出された光を液晶ライトバルブ等の光変調素子に照射し、光変調素子により変調された投射光をスクリーンに投射することで画像をスクリーンに表示する。このとき、スクリーンには、画像が表示されると共に、スクリーン全面がぎらついて見えるシンチレーションと呼ばれる特有の現象が発生する。
【０００４】
ここで、シンチレーションの発生原理について図１０（ａ）、（ｂ）を参照して説明する。
図１０（ａ）、（ｂ）に示すように、光源７０から出射された光は、液晶ライトバルブを透過して、拡散材７２を含むスクリーン７４に投射される。スクリーン７４に投射された投射光は、スクリーン７４に含有する拡散材７２により拡散される。拡散された光は、スクリーンの通過時に拡散材７２により回折されて２次源波のように振舞う。この２次源波による２つの球面波は、図１０（ｂ）に示すように、２波の位相関係に応じて強め合ったり弱め合ったりして、スクリーン面と鑑賞者との間に干渉縞となって現れる。この干渉縞が発生する像面Ｓに鑑賞者の焦点が合わせられると、鑑賞者はその干渉縞をスクリーン面をぎらつかせるシンチレーションとして認識する。
【０００５】
シンチレーションは、スクリーン面に結像された画像を見ようとする鑑賞者にとって、あたかもスクリーン面と鑑賞者との間にベール、レース布、又はくもの巣を張ったかのような不快感を与える。また、鑑賞者の眼はスクリーン面とシンチレーションという２重の像を見ることになり、それぞれに焦点を合わせようとするため、大きな疲労を招く。
【０００６】
また、近年、プロジェクタの光源として高圧水銀ランプに代わる新しい光源の開発が求められている。特に、レーザ光源はエネルギー効率、色再現性、超寿命、瞬時点灯等の点で次世代プロジェクタ用の光源としての期待が高まっている。しかし、プロジェクタの光源として高圧水銀ランプの代わりに干渉性の高いレーザ光源を用いた場合には、干渉縞のコントラストはより高くなり、シンチレーションによる不快感と疲労はもはや耐え難いものとなる。
【０００７】
そこで、シンチレーションを低減する技術が広く提案されている。
例えば、特許文献１には、光拡散材が混入されたプラスチック材料より形成されている出射側光拡散層と、透明なプラスチック材料より形成されている中間層と、光拡散材が混入されたプラスチック材料より形成されている入射側光拡散層とを有するスクリーンが開示されている。これにより、入射側光拡散層にて発生したシンチレーションは出射側光拡散層にて再度拡散され、シンチレーションの発生を低減させている。
また、特許文献２及び３には、画像投影用スクリーンを構成する光拡散層の少なくとも１層を内部振動させ、光拡散層の相対的位置関係を変化させる画像投影用スクリーンが開示されている。このように、光拡散層に内部振動を付与することにより、シンチレーションの発生を低減させている。
【特許文献１】特開平１１−３８５１２号公報
【特許文献２】特開２００１−１００３１６号公報
【特許文献３】特開２００１−１００３１７号公報
【発明の開示】
【発明が解決しようとする課題】
【０００８】
しかしながら、上記特許文献１〜３に開示されるシンチレーションの低減方法では以下の問題があった。
（１）上記特許文献１では、出射側光拡散層は固定されているため、拡散面上の各点から発した光線間の干渉がなすスクリーンと鑑賞者との間の空間の位相分布も固定されており、干渉縞もまた固定された像として視認される。従って、本質的にはシンチレーションを低減させることができないという問題があった。
（２）上記特許文献２及び３では、光、電場、磁場、熱、応力等の種々の振動手段を用いるため、余分な駆動エネルギーを要していた。また、これらの駆動手段を用いた場合、拡散層へのエネルギー伝達効率も低く、振動、音、不要電磁波、排熱となり、鑑賞者の快適な鑑賞を阻害する原因となっていた。
【０００９】
本発明は、上記課題に鑑みてなされたものであり、その目的は、効果的にシンチレーションの低減を図ったスクリーン、リアプロジェクタ及び画像表示装置を提供することにある。
【課題を解決するための手段】
【００１０】
本発明は、上記課題を解決するために、拡散層を有するスクリーン本体と、前記スクリーン本体の外周に沿って設けられ、前記拡散層が支持部材を介して回動可能に取り付けられた枠部と、前記スクリーン本体に取り付けられ、前記支持部材の前記軸周りに前記拡散層を回動させる駆動手段と、を備えることを特徴とする。
【００１１】
この構成によれば、拡散層が支持部材を介して回動可能に枠部に取り付けられるため、駆動手段を駆動させると、支持部材の軸周りに拡散層が回動する。
これにより、拡散層面の角度が時間をおって様々に変化するため、拡散層を通過する光の拡散状態が変化し、これに伴って、スクリーン本体の拡散層の拡散、回折により生成される干渉縞のパターンが変化する。よって、鑑賞者の眼の残像により干渉縞が積分平均化され、シンチレーションを低減させることができる。
【００１２】
また本発明のスクリーンは、前記スクリーン本体の前記拡散層が矩形状であり、前記支持部材の軸が前記拡散層の面内の対称軸と同軸に配置され、前記支持部材が、前記拡散層の対向する辺側の２箇所に設けられたことも好ましい。
【００１３】
この構成によれば、支持部材の軸が拡散層の対称軸と同軸であり、拡散層の両辺側が支持部材により支持（固定）されるため、より安定した支持部材の軸周りの回動が得られる。これにより、回動に必要なエネルギーが慣性モーメントのみとなるため、省エネルギー化を図ることができる。
【００１４】
また本発明のスクリーンは、前記スクリーン本体が前記拡散層を複数有し、前記複数の拡散層のそれぞれが、前記スクリーン本体に投射される光の光軸上に配置され、前記複数の拡散層のうち少なくとも２層の前記拡散層が、前記支持部材を介して回動可能に前記枠部に取り付けられたことも好ましい。
【００１５】
この構成によれば、複数の拡散層が支持部材を介して回動可能に枠部に取り付けられるため、複数の拡散層のそれぞれが相対的に回動する。これにより、複数の拡散層の位置が相対的に変化し、スクリーンを通過する光の散乱状態が時間的に変化する。これに伴い、スクリーン本体の拡散層の拡散、回折により生成される干渉縞のパターンが変化する。よって、拡散層を単層とした場合と比較して、複数の拡散層を相対的に運動させることができるため、鑑賞者の眼の残像効果によって干渉縞が積分平均化され、より効率的にシンチレーションを低減させることができる。
【００１６】
また本発明のスクリーンは、前記支持部材を介して前記枠部に取り付けられた前記拡散層のそれぞれには、前記駆動手段が取り付けられ、前記駆動手段のそれぞれが、異なる周波数で駆動されることも好ましい。
【００１７】
この構成によれば、各拡散層を異なる周波数で駆動することができるため、各拡散層をばらばらに振動させることができる。従って、より効率的にシンチレーションを低減させることができる。
【００１８】
本発明のスクリーンは、拡散層を有するスクリーン本体と、前記スクリーン本体の外周に設けられ、前記拡散層の対称軸と同軸の第１の軸を有する第１支持部材と、前記スクリーン本体の外周に沿って設けられ、前記拡散層が前記第１支持部材を介して回動可能に取り付けられた第１枠部と、前記第１枠部の外周に設けられ、前記第１支持部材の前記第１の軸と交差する方向に延びる第２の軸を有する第２支持部材と、前記第１枠部の外周に沿って設けられ、前記第１枠部が前記第２支持部材を介して回動可能に取り付けられた第２枠部と、前記スクリーン本体及び第１枠部の少なくとも一方に取り付けられ、前記第１支持部材の前記第１の軸周りに前記拡散層を回動させる駆動手段と、を備えることを特徴とする。
【００１９】
この構成によれば、互いに交差する第１支持部材の第１の軸と第２支持部材の第２の軸との２つの回動軸を有するため、第１枠部及び拡散層のそれぞれが独立して回動する。これにより、拡散層は、リサージュ波形的に運動するため、干渉縞のランダム性が高くなり、より効率的に積分平均化され、シンチレーションを低減させることができる。
【００２０】
また本発明のスクリーンは、前記スクリーン本体の前記拡散層が矩形状であり、前記第１支持部材の前記第１の軸が前記拡散層の一辺と平行に設けられ、前記第２支持部材の前記第２の軸が前記第１支持部材の前記第１の軸と直交して設けられたことも好ましい。
【００２１】
この構成によれば、第１の軸と第２の軸とは直交するため、第２枠部に取り付けられる第１枠部と、第１枠部に取り付けられる拡散層とは互いに異なる方向（θｘ方向及びθｙ方向）に回動する。これにより、より干渉縞のランダム性が高くなり、効率的にシンチレーションを低減させることができる。
【００２２】
本発明のリアプロジェクタは、光を射出する光源と、前記光源から射出された光を変調する光変調素子と、前記光変調素子により変調された光が投影される上記スクリーンと、を備えることを特徴とする。
【００２３】
本発明によれば、上記スクリーンを備えるため、シンチレーションを低減させたリアプロジェクタを提供することができる。
【００２４】
また本発明の画像表示装置は、光を射出する光源と、上記スクリーンと、前記スクリーン上で前記光源から射出された光を走査する走査部と、を備えることを特徴とする。
【００２５】
本発明によれば、上記スクリーンを備えるため、シンチレーションを低減させた画像表示装置を提供することができる。
【発明を実施するための最良の形態】
【００２６】
以下、本発明の実施形態につき、図面を参照して説明する。
なお、以下の説明に用いる各図面では、各部材を認識可能な大きさとするため、各部材の縮尺を適宜変更している。また、以下の説明においては、ｘｙｚ直交座標系を設定し、このｘｙｚ直交座標系を参照しつつ各部材の位置関係について説明する。そして、水平面内における所定方向をｘ方向、水平面内においてｘ方向と直交する方向をｙ方向、Ｘ方向周りの回転方向をθＸ、Ｙ方向周りの回転方向をθＹとする。また、本実施形態においては、スクリーン２０の正面側を鑑賞者が画像を視認する鑑賞者側とし、その反対側を背面側とする。
【００２７】
［第１の実施の形態］
図１（ａ）は本実施形態に係るリアプロジェクタ１２０の概略構成を示す斜視図であり、（ｂ）は図１（ａ）に示すリアプロジェクタ１２０の側面断面図である。本実施形態に係るリアプロジェクタ１２０は、光源から射出された光を光変調手段により変調し、この変調した光をスクリーン２０に拡大投射するものである。
【００２８】
図１（ａ）に示すように、リアプロジェクタ１２０は、画像が投影されるスクリーン２０と、スクリーン２０の背面側に取り付けられた筐体９０とを備えている。スクリーン２０の下方の筐体９０にはフロントパネル８８が設けられ、フロントパネル８８の左右側にはスピーカからの音声を出力する開口部３８が設けられている。
【００２９】
次に、リアプロジェクタ１２０の筐体９０の内部構造について説明する。
図１（ｂ）に示すように、リアプロジェクタ１２０の筐体９０内部の下方には投射光学系１５０が配設されている。投射光学系１５０とスクリーン２０との間には反射ミラー９２，９４が設けられており、投射光学系１５０から出射された光が反射ミラー９２，９４によって反射され、スクリーン２０に拡大投影されるようになっている。
【００３０】
次に、リアプロジェクタ１２０の投射光学系１５０の概略構成について説明する。
図２は、リアプロジェクタ１２０の投射光学系１５０の構成を示す概略図である。なお、図２中においては、簡略化のためリアプロジェクタ１２０を構成する筐体９０は省略している。
【００３１】
投射光学系１５０は、光源１０２と、光源１０２から出射された光を変調する光変調素子１００と、光変調素子１００により変調された光を投射する投射レンズ１１４とを備えている。本実施形態においては、光変調素子１００として液晶ライトバルブ１００Ｒ、１００Ｇ、１００Ｂが用いられている。
【００３２】
図２に示すように、投射光学系１５０は、ハロゲンランプ等の白色の光源からなるランプユニット１０２が設けられている。このランプユニット（光源）１０２から出射された光は、内部に配置された３枚のミラー１０６及び２枚のダイクロイックミラー１０８によってＲＧＢの３原色に分離されて、各原色に対応する液晶ライトバルブ１００Ｒ（赤色）、１００Ｇ（緑色）及び１００Ｂ（青色）にそれぞれ導かれる。ここで、液晶ライトバルブ１００Ｒ、１００Ｇ及び１００Ｂは、画像信号処理回路（図示省略）から供給されるＲ、Ｇ、Ｂの原色信号でそれぞれ駆動されるものである。
また、Ｂ（青）色の光は他のＲ（赤）色やＧ（緑）色と比較すると、光路が長いので、その損失を防ぐために、入射レンズ１２２、リレーレンズ１２３及び出射レンズ１２４からなるリレーレンズ系１２１を介して導かれるようになっている。
【００３３】
液晶ライトバルブ１００Ｒ、１００Ｇ、１００Ｂによってそれぞれ変調された光は、ダイクロイックプリズム１１２に３方向（液晶ライトバルブ１００Ｒ、１００Ｇ、１００Ｂ）から入射する。ダイクロイックプリズム１１２は、Ｒ色及びＢ色の光を９０度に屈折させると共に、Ｇ色の光を直進させ、各液晶ライトバルブ１００Ｒ、１００Ｇ、１００Ｂの各光出射部からの光を合成するようになっている。そして、合成された各光出射部の光を投射レンズ１１４を介して、スクリーン２０上に投射する。
【００３４】
次に、リアプロジェクタ１２０のスクリーン２０の概略構成について説明する。
図３は、スクリーンの概略構成を示す斜視図である。なお、図３においては、スクリーン本体１２とフレーム１６との間隔が空いているが、実際には図１に示すように、フレーム１６の一部が前面に張り出しており、上記間隙が張り出したフレーム１６によって覆われているものとする。
【００３５】
図３に示すように、スクリーン２０は、スクリーン本体１２とスクリーン本体１２を支持するフレーム１６とスクリーン本体１２を一定方向に回動させる振動モータ２２（駆動手段）とを備えている。
【００３６】
スクリーン本体１２は平面視矩形状の拡散板１０（拡散層）を有する。拡散板１０はスクリーン本体１２に投射された光を散乱させて鑑賞者の視野範囲を広げるものであり、拡散板１０中には散乱材が均一に分散されている。散乱材としては、酸化ケイ素、アルミナ、炭酸カルシウム、ガラスビース、アクリル樹脂系等の共重合体、又はシリコーン樹脂系等の非晶質の有機系材料が好適に用いられる。また、拡散板１０の鑑賞者側の面には、拡散板１０等のスクリーン本体１２を保護するためのハードコート層（図示省略）が貼り付けられている。
【００３７】
フレーム１６は、拡散板１０の外周に沿って額縁状に形成され、拡散板１０と一定の間隔を空けて配置されている。なお、フレーム１６は、図１に示す筐体と一体的に構成しても良い。
【００３８】
フレーム１６の上部の内周側面１６ａには下方に突出する回動軸１４ａ（支持部材の軸）が形成され、フレーム１６の下部の内周側面１６ｂには上方に突出する回動軸１４ｂが形成されている。そして、拡散板１０の上辺側及び下辺側には、回動軸１４ａ，１４ｂを回動可能に支持するための軸受け部が形成されており、この軸受け部にフレーム１６に形成される回動軸１４ａ，１４ｂが嵌め込まれてる。このとき、拡散板１０の短手方向に延びる対称軸Ｏがフレーム１６に形成される回動軸１４ａ，１４ｂと同軸に配置されている。これにより、拡散板１０は、フレーム１６に形成された回動軸１４ａ，１４ｂ周り（θｙ方向）に回動可能となっており、本実施形態においては拡散板１０の対称軸Ｏが回動軸となっている。
【００３９】
拡散板１０の背面側の左下方の非画像表示領域には振動モータ２２が取り付けられている。振動モータ２２は、筐体内部に設けられる制御部２４に接続されており、制御部２４から供給される駆動信号により所定周波数で振動可能となっている。制御部２４は、リアプロジェクタの電源がオンされ、スクリーンに画像が投影されると同時に振動モータ２２を駆動する。これにより、拡散板１０は、回動軸１４ａ，１４ｂ周り（θｙ方向）に回動する。一方、電源がオフされ、スクリーンの画像が投影されないときには振動モータ２２の駆動を停止する。
【００４０】
なお、上記実施形態では、回動軸をフレームに形成し、この回動軸の軸受けをスクリーンに形成したが、これに限定されることはない。例えば、回動軸をスクリーンに形成し、この回動軸の軸受けをフレームに形成しても良い。
【００４１】
本実施形態によれば、拡散板１０が回動軸１４ａ，１４ｂを介して回動可能にフレーム１６に取り付けられるため、モータ２２を駆動させると、回動軸１４ａ，１４ｂ周りに拡散板１０が回動する。また、回動軸１４が拡散板１０の対称軸Ｏと同軸であり、拡散板１０の両辺側が回動軸１４ａ，１４ｂにより支持（固定）されるため、より安定した回動軸１４ａ，１４ｂ周りの回動が得られる。これにより、拡散板１０面の角度が時間をおって様々に変化するため、拡散板１０を通過する光の拡散状態が変化し、これに伴って、スクリーン本体１２の拡散板１０の拡散、回折により生成される干渉縞のパターンが変化する。よって、鑑賞者の眼の残像により干渉縞が積分平均化され、シンチレーションを低減させることができる。また、回動に必要なエネルギーが慣性モーメントのみとなるため、省エネルギー化を図ることができる。
【００４２】
［第２の実施の形態］
次に、本実施形態について図面を参照して説明する。
上記実施形態では駆動手段として振動モータを用いたが、本実施形態では駆動手段としてリニアモータを用いている点において異なる。なお、その他のリアプロジェクタの構成は、上記第１実施形態と同様であるため、共通の構成要素には同一の符号を付し、詳細な説明は省略する。
【００４３】
図４は、スクリーンの概略構成を示す斜視図である。
フレーム１６の左部の内周側面１６ａには右方に突出する回動軸１４ａが形成され、フレーム１６の右部の内周側面１６ｂには左方に突出する回動軸１４ｂが形成されている。そして、拡散板１０の上辺側及び下辺側には、回動軸１４ａ，１４ｂを回動可能に支持するための軸受け部が形成されており、この軸受け部にフレーム１６に形成される回動軸１４ａ，１４ｂが嵌め込まれてる。このとき、拡散板１０の長手方向に延びる対称軸Ｏがフレーム１６に形成される回動軸１４ａ，１４ｂと同軸に配置されている。これにより、拡散板１０は、フレーム１６に形成された回動軸１４ａ，１４ｂ周り（θｘ方向）に回動可能となっており、本実施形態においては拡散板１０の対称軸Ｏが回動軸となっている。
【００４４】
拡散板１０の下辺側とフレーム１６の下部との間にはリニアモータ２２（駆動手段）が設けられており、リニアモータ２２の可動部が拡散板１０の下辺側に取り付けられている。リニアモータ２２は、筐体９０内部に設けられる制御部２４に接続されており、制御部２４から供給される駆動信号により所定周波数で往復振動する。制御部２４は、リアプロジェクタの電源がオンされ、スクリーンに画像が投影される同時に振動モータ２２を駆動する。これにより、拡散板１０は、回動軸１４ａ，１４ｂ周り（θｘ方向）に回動する。一方、電源がオフされ、スクリーンの画像が投影されないときには振動モータ２２の駆動を停止する。
【００４５】
本実施形態においても上記第１実施形態と同様に、リニアモータ２２の往復運動により、回動軸１４，１４周りに拡散板１０が回動するため、鑑賞者の眼の残像により干渉縞が積分平均化され、シンチレーションを低減させることができる。
【００４６】
［第３の実施の形態］
次に、本実施形態について図面を参照して説明する。
本実施形態では、駆動手段としてクランクモータを用いている点において上記第１及び第２実施形態と異なる。なお、その他のリアプロジェクタの構成は、上記第１実施形態と同様であるため、共通の構成要素には同一の符号を付し、詳細な説明は省略する。
【００４７】
図５（ａ）はスクリーンの概略構成を示す斜視図であり、図５（ｂ）はクランクモータが取り付けられたスクリーン部分の拡大図である。
【００４８】
フレーム１６の左部の内周側面１６ａには右方に突出する回動軸１４ａが形成され、フレーム１６の右部の内周側面１６ｂには左方に突出する回動軸１４ｂが形成されている。そして、拡散板１０の上辺側及び下辺側には、回動軸１４ａ，１４ｂを回動可能に支持するための軸受け部が形成されており、この軸受け部にフレーム１６に形成される回動軸１４ａ，１４ｂが嵌め込まれてる。このとき、拡散板１０の長手方向に延びる対称軸Ｏがフレーム１６に形成される回動軸１４ａ，１４ｂと同軸に配置されている。
【００４９】
フレーム１６の左下部の背面側にはクランクモータ２２（駆動手段）が取り付けられている。クランクモータ２２は筐体９０内部に設けられる制御部２４に接続されている。また、クランクモータ２２は、回動軸Ｃが静止時の拡散板１０面と平行となるように配置されている。回動軸Ｃの先端部には矩形状の板部材５０が板部材５０面を回動軸Ｃに垂直にして取り付けられている。板部材５０の中心（回動軸Ｃ）からずれた板部材５０の角部には、板部材５０面に垂直に延びる連結棒５２が取り付けられている。
一方、スクリーン本体１２の拡散板１０の左下の角部には、拡散板１０面に平行に延びる連結棒２６が取り付けれている。
そして、クランクモータ２２の連結棒５２と、拡散板１０の連結棒２６とが環状のゴム材２８により互いに連結されている。これにより、クランクモータ２２の駆動を駆動すると、拡散板１０が回動軸Ｃ周りに回動するようになっている。
【００５０】
本実施形態によれば、クランクモータ２２を駆動させると、拡散板１０は、フレーム１６に形成された回動軸１４ａ，１４ｂ周り（θｘ方向）に回動する。従って、上記第１実施形態と同様に、鑑賞者の眼の残像により干渉縞が積分平均化され、シンチレーションを低減させることができる。
【００５１】
［第４の実施の形態］
次に、本実施形態について図面を参照して説明する。
上記実施形態では１つの回動軸により拡散板を回動させていた。これに対し、本実施形態では、２つの回動軸により拡散板を回動させる点において異なる。なお、その他のリアプロジェクタの構成は、上記第１実施形態と同様であるため、共通の構成要素には同一の符号を付し、詳細な説明は省略する。
【００５２】
図６は、スクリーンの概略構成を示す斜視図である。
図６に示すように、拡散板１０の外周には、拡散板１０の外周に沿って第１フレーム１６ａ（第１枠部）が額縁状に形成され、拡散板１０と一定の間隔を空けて配置されている。
【００５３】
第１フレーム１６の左部の内周側面１６ａには下方に突出する回動軸１４ａ（第１支持部材の第１の軸）が形成され、第１フレーム１６の右部の内周側面１６ｂには上方に突出する回動軸１４ｂが回動軸１４ａに対向して形成されている。そして、拡散板１０の上辺側及び下辺側には、回動軸１４ａ，１４ｂを回動可能に支持するための軸受け部が形成されており、この軸受け部にフレーム１６に形成される回動軸１４ａ，１４ｂが嵌め込まれてる。このとき、拡散板１０の長手方向に延びる対称軸Ｏ２がフレーム１６に形成される回動軸１４ａ，１４ｂと同軸に配置されている。これにより、拡散板１０は、フレーム１６に形成された回動軸１４ａ，１４ｂ周り（θｘ方向）に回動可能となっている。
【００５４】
拡散板１０の背面側の左下方には振動モータ２２ａが取り付けられている。振動モータ２２ａは筐体９０内に設けられる制御部２４に接続されている。
【００５５】
第１フレーム１６ａの外周には、図６に示すように、第１フレーム１６ａの外周に沿って第２フレーム１６ｂ（第２枠部）が額縁状に形成され、第１フレーム１６ａと一定の間隔を空けて配置されている。
【００５６】
第２フレーム１７の上部の内周側面１７ａには下方に突出する回動軸１８ａ（第２支持部材の第２の軸）が形成され、第２フレーム１６ｂの下部の内周側面１７ｂには上方に突出する回動軸１８ｂが形成されている。そして、拡散板１０の上辺側及び下辺側には、回動軸１８ａ，１８ｂを回動可能に支持するための軸受け部が形成されており、この軸受け部にフレーム１７に形成される回動軸１８ａ，１８ｂが嵌め込まれてる。このとき、拡散板１０の短手方向に延びる対称軸Ｏ１がフレーム１７に形成される回動軸１８ａ，１８ｂと同軸に配置されている。これにより、拡散板１０は、フレーム１６に形成された回動軸１８ａ，１８ｂ周り（θｙ方向）に回動可能となっている。
【００５７】
第１フレーム１６の外周面の左下部には振動モータ２２ｂが取り付けられている。振動モータ２２ｂは筐体９０内に設けられる制御部２４に接続されている。
【００５８】
本実施形態によれば、スクリーン２０は互いに交差する回動軸１４ａ，１４ｂと回動軸１８ａ，１８ｂとの２つの回動軸を有するため、第２フレーム１７に取り付けられる第１フレーム１６と、第１フレーム１６に取り付けられる拡散板１０とは互いに異なる方向（θｘ方向及びθｙ方向）に回動する。これにより、拡散板１０は、リサージュ波形的に運動するため、干渉縞のランダム性が高くなり、より効率的に積分平均化され、シンチレーションを低減させることができる。
【００５９】
［第５の実施の形態］
次に、本実施形態について図面を参照して説明する。
上記実施形態では、スクリーン本体を１層の拡散板により構成していた。これに対し、本実施形態では、スクリーン本体を複数の拡散板により構成する点において異なる。なお、その他のリアプロジェクタの構成は、上記第１実施形態と同様であるため、共通の構成要素には同一の符号を付し、詳細な説明は省略する。
【００６０】
図７は本実施形態に係るスクリーン本体の概略構成を示す斜視図であり、図８は複数の拡散板の構成を示す図である。
図７及び図８に示すように、スクリーン本体１２は、拡散板１０と、像を圧縮（集光）するレンチキュラーレンズ４２と、スクリーン２０に投射される光を平行光に変換するフレネルレンズ４０とを有する。これらの層は、投射される投射光の光軸Ｌ上に、鑑賞者側から拡散板１０、レンチキュラーレンズ４２、及びフレネルレンズ４０の順に配置されている。
拡散板１０の鑑賞者側の面にはハードコート層が貼り貼り付けられている。また、レンチキュラーレンズ４２の鑑賞者側の面にはブラックマスク４４が格子状に形成されている。
【００６１】
図７に示すように、拡散板１０、レンチキュラーレンズ４２、及びフレネルレンズ４０のそれぞれは、支持部材１４を介してフレーム１６に回動可能に取り付けられている。また、拡散板１０、レンチキュラーレンズ４２、及びフレネルレンズ４０のそれぞれには、振動モータ２２が取り付けられている。そして、拡散板１０、レンチキュラーレンズ４２、及びフレネルレンズ４０のそれぞれに取り付けられた振動モータ２２は、異なる周期で各層に駆動信号を供給する。
【００６２】
本実施形態によれば、拡散板１０、レンチキュラーレンズ４２、及びフレネルレンズ４０のそれぞれが相対的に回動するため、多層のうちの一つを動かす構成の場合と比較して、わずかな動きでも、複雑に散乱特性、干渉縞のパターンが変化する。これにより、鑑賞者の眼の残像効果によって干渉縞が積分平均化され、より、効率的にシンチレーションを低減できる。
【００６３】
また、本実施形態によれば、複数の層１０，４０，４２を異なる周波数で駆動することができるため、各拡散板１０をばらばらに振動させることができる。従って、より効率的にシンチレーションを低減させることができる。
【００６４】
［第６の実施の形態］
次に、本実施形態について図面を参照して説明する。
本実施形態は、リアプロジェクタの構成として光変調素子ではなく走査部を用いる点において異なる。なお、その他スクリーンの構成は、上記第１実施形態と同様であるため、共通の構成要素には同一の符号を付し、詳細な説明は省略する。
【００６５】
図９は、リアプロジェクタ１２０の概略構成を示す断面図である。
本実施形態のリアプロジェクタ１２０は、図９に示すように、レーザ光を射出する光源１０２と、コリメート光学系１０４とビーム整形光学系１０５とを含むレンズ光学系１０３と、入射されたレーザ光を２次元方向に走査するスキャナ８２と、走査された光を拡大投射する投射レンズ１０８と、投射された光をスクリーン１２０に向けて反射する反射ミラー１０９とを備えている。光源１０２は、赤色のレーザ光を射出する赤色レーザダイオード１０２Ｒと、緑色のレーザ光を射出する緑色レーザダイオード１０２Ｇと、青色のレーザ光を射出する青色レーザダイオード１０２Ｂとを有する。
【００６６】
レーザダイオード１０２Ｒ，１０２Ｇ，１０２Ｂから出射されたレーザ光は、レンズ光学系１０３を介してスキャナ８２に入射する。入射したレーザ光は、スキャナ８２により２次元方向にスキャン（走査）され、投射レンズ１０８、反射ミラー１０９を介してスクリーン２０に投射される。このようにして、本実施形態のリアプロジェクタ１２０−は、光源１０２から射出されたレーザ光をスキャナ８２によりスクリーン２０上で光を走査させることにより画像を形成するようになっている。
【００６７】
本実施形態のようにレーザ光源を用いたスキャン型のリアプロジェクタ１２０においても、スクリーン２０が支持部材１４ａ，１４ｂを介してフレーム１６に回動可能に取り付けられているため、上記実施形態と同様の作用効果が得られ、効果的にシンチレーションを低減させることができる。
【００６８】
なお、本発明の技術範囲は、上述した実施形態に限定されるものではなく、本発明の趣旨を逸脱しない範囲において、上述した実施形態に種々の変更を加えたものを含む。
例えば、上記実施形態では、支持部材となる回動軸を拡散板の対称軸と同軸に配置したが、対称軸からずれて支持部材となる回動軸を配置した場合でも、上記実施形態と同様の作用効果を奏することができる。
さらに、上記実施形態では、光変調素子として透過型の液晶ライトバルブを用いた例を示したが、反射型の液晶ライトバルブ、および、微小ミラーアレイデバイスを光変調素子として用いることができる。その際には、投射光学系の構成は適宜変更される。
【図面の簡単な説明】
【００６９】
【図１】本発明の実施形態に係るリアプロジェクタの概略構成図である。
【図２】本発明の実施形態に係るリアプロジェクタの投射光学系の概略構成図である。
【図３】第１実施形態に係るスクリーンの概略構成図である。
【図４】第２実施形態に係るスクリーンの概略構成図である。
【図５】第３実施形態に係るスクリーンの概略構成図である。
【図６】第４実施形態に係るスクリーンの概略構成図である。
【図７】第５実施形態に係るスクリーンの概略構成図である。
【図８】同、複数の拡散機能層を有するスクリーン本体の概略構成図である。
【図９】第６実施形態に係るリアプロジェクタの概略構成図である。
【図１０】シンチレーションの発生原理を説明するための図である。
【符号の説明】
【００７０】
１０…拡散板（拡散層）、  １２…スクリーン本体、  １４ａ，１４ｂ…回動軸（支持部材の軸、第１支持部材の第１の軸）、  １６…フレーム（枠部、第１枠部）、  １７…第２フレーム（第２枠部）、  １８…回動軸（第２支持部材の第２の軸）、  ２０…スクリーン、  ２２…振動モータ，リニアモータ，クランクモータ（駆動手段）、  ４０…フレネルレンズ、  ４２…レンチキュラーレンズ、  ４４…ブラックマスク
【図１】
2007286349.tif 000003
【図２】
2007286349.tif 000004
【図３】
2007286349.tif 000005
【図４】
2007286349.tif 000006
【図５】
2007286349.tif 000007
【図６】
2007286349.tif 000008
【図７】
2007286349.tif 000009
【図８】
2007286349.tif 000010
【図９】
2007286349.tif 000011
【図１０】
2007286349.tif 000012